(57)【要約】      （修正有）【課題】シンプルな構造であっても、作業中に、作業用物品を用いて効率的に作業するとともに、作業終了時に、作業用シートで作業用物品を巻いて収納することができる、作業用キットを提供する。【解決手段】作業用キット１Ａは、作業用シート１０と作業用物品３１，４１を備えており、作業用物品３１，４１を作業用シート１０に巻いた状態で収納するものである。作業用物品３１，４１には、作業用物品３１，４１の作業位置および収納位置で、作業用シート１０に保持されるように、フック係合片２１Ａ，２２Ａ，２３Ａが設けられており、作業用シート１０には、作業用物品３１，４１の作業位置および収納位置で、フック係合部片２１Ａ，２２Ａ，２３Ａに係合するように、ループ係合片２１Ｂ，２２Ｂ，２３Ｂが設けられている。【選択図】図２
0003194815.tif 000002
【実用新案登録請求の範囲】
【請求項１】
一方側の表面に作業を行うための作業面が形成され、緩衝性を有した作業用シートと、該作業用シートとともに作業に用いる作業用物品と、を備えた作業用キットであって、
前記作業用キットは、前記作業用物品を前記作業用シートに巻いた状態で収納するものであり、
前記作業用物品には、相互に係合するフック係合部材とループ係合部材からなる面ファスナーのうち一方の係合部材が設けられており、前記作業用シートの作業面には、前記面ファスナーのうち他方の係合部材が設けられており、
前記一方の係合部材は、前記他方の係合部材と係合することにより、前記作業用物品の作業位置および収納位置で、前記作業用物品が前記作業用シートに保持されるように、前記作業用物品に設けられており、
前記他方の係合部材は、前記作業用物品の少なくとも前記作業位置および前記収納位置において前記一方の係合部材に係合するように、前記作業用シートに設けられていることを特徴とする作業用キット。
【請求項２】
前記他方の係合部材は、前記作業用物品の前記作業位置および前記収納位置において前記一方の係合部材に係合するように、前記作業面の一部に取り付けられた係合片であることを特徴とする請求項１に記載の作業用キット。
【請求項３】
前記作業用物品は複数あり、前記係合片は、前記作業面の一方側に寄せられて取り付けられていることを特徴とする請求項２に記載の作業用キット。
【請求項４】
前記作業用シートの前記作業面は、前記他方の係合部材からなることを特徴とする請求項１に記載の作業用キット。
【請求項５】
前記他方の係合部材は、ループ係合部材であることを特徴とする請求項１〜４のいずれかに記載の作業用キット。
【請求項６】
前記作業用物品は、作業用ペンを立てた状態で前記作業用ペンを保持する筒状のペン保持体を含み、
前記筒状のペン保持体は、複数の筒状体からなり、
該複数の筒状体は、前記筒状のペン保持体の長手方向に沿って、ヒンジ連結されていることを特徴とする請求項１〜５のいずれかに記載の作業用キット。
【請求項７】
前記作業用物品は、板状部材を開口部から収納凹部に収納する収納部材を含み、
前記収納部材の収納凹部は、該収納凹部内において、第１の位置と第２の位置との双方の位置に、前記板状部材をスライドすることが可能な形状および大きさとなっており、
前記収納部材は、前記第１の位置に前記板状部材が配置された状態で、前記板状部材を前記開口部から取り出し可能に構成されており、前記第２の位置に前記板状部材が配置された状態で、前記板状部材が前記開口部から脱落することを防止するように、前記板状部材に係止する係止部を有することを特徴とする請求項１〜６のいずれかに記載の作業用キット。
【考案の詳細な説明】
【技術分野】
【０００１】
本考案は、作業用シートの作業面で、作業用物品を用いて好適に作業することができる作業用キットに関するものである。
【背景技術】
【０００２】
従来から、製品の検査、梱包、加工等を行う際に、作業台の上に作業用シートを広げて、作業用シートに形成され作業面で、工具または部品等の作業用物品を用いて作業を行うことが一般的である。このような作業用シートを用いることで、作業台が汚損することを回避することができるばかりでなく、製品が直接作業台に接触ことを回避することができる。このような作業用シートは、作業用物品と共に、作業用キットとして用いられる。
【０００３】
このような作業用キットとして、たとえば、特許文献１に開示の作業用キットが提案されている。作業用キットは、発熱工具と、発熱工具を収納する耐熱性繊維製の収納袋と、耐熱性繊維により構成されるとともに収納袋より幅広に形成されている敷布状の作業用シートとを有している。収納袋は作業用シートの一側部に一体的または着脱自在に取り付けられている。
【０００４】
このような作業用キットを用いることにより、作業時には、作業用シートの作業面に発熱工具を置き、発熱工具を用いて作業を行うことができる。作業終了時には、発熱工具を収納袋に収納し、収納袋とともに発熱工具を作業用シートで巻くことができる。
【先行技術文献】
【特許文献】
【０００５】
【特許文献１】実開平１−３７９１１号公報
【考案の概要】
【考案が解決しようとする課題】
【０００６】
しかしながら、特許文献１で提案された作業用キットでは、作業時に作業用シートの作業面で、発熱工具である作業用物品を使用するが、作業中に作業用物品を使用しないときは、作業用物品は作業面に単に載置された状態で、作業用シートに拘束（保持）されていない。これにより、作業用物品が所定位置から移動することがあり、再度、作業用物品を使用する際に、その作業効率が低下してしまうことがあった。
【０００７】
さらに、作業用シートに取り付けられた収納袋は、作業終了時にのみ発熱工具である作業用物品を収納するために使用されるものであり、直接的に作業中には使用されることはない。したがって、作業用キットの構造をシンプルな構造にするためにも、このような作業中に用いない収納袋は設けない方が望ましい。
【０００８】
本考案は、このような点を鑑みてなされたものであり、その目的とするところは、シンプルな構造であっても、作業中に、作業用物品を用いて効率的に作業するとともに、作業終了時に、作業用シートで作業用物品を巻いて収納することができる、作業用キットを提供することにある。
【課題を解決するための手段】
【０００９】
前記課題を解決すべく、本考案に係る作業用キットは、一方側の表面に作業を行うための作業面が形成され、緩衝性を有した作業用シートと、該作業用シートとともに作業に用いる作業用物品と、を備えた作業用キットであって、前記作業用キットは、前記作業用物品を前記作業用シートに巻いた状態で収納するものであり、前記作業用物品には、相互に係合するフック係合部材とループ係合部材からなる面ファスナーのうち一方の係合部材が設けられており、前記作業用シートの作業面には、前記面ファスナーのうち他方の係合部材が設けられており、前記一方の係合部材は、前記他方の係合部材と係合することにより、前記作業用物品の作業位置および収納位置で、前記作業用物品が前記作業用シートに保持されるように、前記作業用物品に設けられており、前記他方の係合部材は、前記作業用物品の少なくとも前記作業位置および前記収納位置において前記一方の係合部材に係合するように、前記作業用シートに設けられていることを特徴とする。
【００１０】
本考案によれば、作業用物品に、相互に係合するフック係合部材とループ係合部材からなる面ファスナーのうち一方の係合部材を設け、作業用シートの作業面に、面ファスナーのうち他方の係合部材を設けたので、作業用物品は、面ファスナーを介して作業用シートに着脱自在に保持される。
【００１１】
ここで、本考案では、一方の係合部材は、他方の係合部材と係合することにより、作業用物品の作業位置および収納位置で、作業用物品が作業用シートに保持されるように、作業用物品に設けられている。他方の係合部材は、作業用物品の少なくとも作業位置および収納位置において一方の係合部材に係合するように、作業用シートに設けられている。
【００１２】
このように構成することにより、作業時には、作業用物品の作業位置に、面ファスナーを介して、作業用物品を保持することができ、収納時には、作業用物品の収納位置に、面ファスナーを介して作業用物品を保持し、保持された作業用物品を作業用シートに巻いて収納することができる。
【００１３】
ここで、本考案に係る「作業位置」とは、作業中に、作業面上において作業者が作業用物品を仮置きする（再度、作業用物品を使用することが可能な）位置であり、「収納位置」とは、作業終了後に、作業面において作業者が作業用物品を作業用シートで巻き付けて、作業用物品を収納する位置である。
【００１４】
より好ましい態様としては、前記他方の係合部材は、前記作業用物品の前記作業位置および前記収納位置において前記一方の係合部材に係合するように、前記作業面の一部に取り付けられた係合片である。
【００１５】
この態様によれば、作業面の一部に取り付けられた係合片を目印として、作業中には、作業用物品を作業面上の決まった位置（作業位置）に保持することができ、作業終了後には、作業用物品を作業面上の決まった位置（収納位置）に保持することができる。このようにして、作業中における作業用物品を用いた作業効率を高め、作業終了後には、作業用物品の収納作業効率をも高めることができる。
【００１６】
このような係合片を用いた場合の好ましい態様としては、前記作業用物品は複数あり、前記係合片は、前記作業面の一方側に寄せられて取り付けられている。この態様によれば、係合片を、作業面の一方側に寄せて取り付けることにより、作業時には、複数の作業用物品を作業面の一方側に寄せて保持することができる。作業終了時には、複数の作業用物品を作業面の一方側に寄せた状態で、作業用シートの一方側から他方側に作業用シートで複数の作業用物品を簡単に巻きつけて、これを収納することができる。
【００１７】
さらに好ましい態様としては、前記作業用シートの前記作業面は、前記他方の係合部材からなる。この態様によれば、作業面に他方の係合部材が配置されることになるので、作業時に、一方の係合部材が設けられた作業用物品を作業面の所望の位置に面ファスナーを介して保持することができる。また、作業終了後には、作業用シートが巻きやすい位置に、作業用物品を面ファスナーを介して保持し、作業用物品を作業用シートで巻いて、収納することができる。
【００１８】
より好ましい態様としては、前記他方の係合部材は、ループ係合部材である。面ファスナーのうち、フック係合部材の表面に比べて、ループ係合部材の表面の方が、柔らかいので、作業面上に製品等を置いて作業する際に、これに傷が付くのを抑えることができる。
【００１９】
さらに好ましい態様としては、前記作業用物品は、作業用ペンを立てた状態で該作業用ペンを保持する筒状のペン保持体を含み、前記筒状のペン保持体は、複数の筒状体からなり、該複数の筒状体は、前記筒状のペン保持体の長手方向に沿って、ヒンジ連結されている。
【００２０】
この態様では、作業時に、作業用ペンを用いて作業し、作業用ペンを仮置きするときには、作業用ペンを筒状のペン保持体で立てた状態で保持することができる。ここで、作業用ペンは使用するに従ってその長さは短くなるが、筒状のペン保持体は、複数の筒状体がヒンジ連結された構造であるので、作業用ペンの長さに合わせて、筒状のペン保持体の長さを調整することができる。これにより、作業用ペンの長さが短くなっても、筒状のペン保持体から作業用ペンを容易に取り出すことができる。
【００２１】
さらに好ましい態様としては、前記作業用物品は、板状部材を開口部から収納凹部に収納する収納部材とを有しており、前記収納部材の収納凹部は、該収納凹部内において、第１の位置と第２の位置との双方の位置に、前記板状部材をスライドすることが可能な形状および大きさとなっており、前記収納部材は、前記第１の位置に前記板状部材が配置された状態で、前記板状部材を前記開口部から取り出し可能に構成されており、前記第２の位置に前記板状部材が配置された状態で、前記板状部材が前記開口部から脱落することを防止するように、前記板状部材に係止する係止部を有する。
【００２２】
この態様によれば、矩形状の板状部材を収納部材の収納凹部に収納することができる。ここで、作業時には、第１の位置に板状部材を配置し、板状部材を開口部から取り出し、板状部材の取り付け作業等に用いる。作業終了時には、第１の位置から第２の位置に板状部材をスライドさせる。これにより、板状部材は収納部材の係止部に係止されるので、板状部材を収納部材に収納した状態で、これを作業用シートで巻いて持ち運んだとしても、収納部材の開口部から板状部材が脱落することを防止することができる。
【考案の効果】
【００２３】
本考案に係る作業用キットによれば、シンプルな構造であっても、作業中に、作業用物品を用いて効率的に作業するとともに、作業終了時に、作業用シートで作業用物品を巻いて収納することができる。
【図面の簡単な説明】
【００２４】
【図１】本考案の第１実施形態に係る作業用キットの模式的斜視図であり、作業用物品を作業用シートの作業位置に保持した状態を示した図。
【図２】図１に示す作業用キットの作業用シートに作業用物品を取り付ける作業を説明するための図。
【図３】図１に示す作業用物品の１つである筒状のペン保持体の裏面側から見た模式的斜視図。
【図４】図１に示す作業用物品の１つである収納部材の裏面側から見た模式的斜視図。
【図５】図３に示すペン保持体の使用方法を説明するための模式的斜視図であり、（ａ）作業時にペン保持体を用いて作業用ペンを保持した状態を示した図であり、（ｂ）は、（ａ）に示す作業用ペンよりも短い作業用ペンをペン保持体で保持した状態を示した図。
【図６】図４に示す収納部材の使用方法を説明するための模式的斜視図であり、（ａ）作業時に、第１の位置に収納部材に板状部材を収納した状態を示した図であり、（ｂ）は、作業終了時に、第１の位置から第２の位置に板状部材をスライドして収納部材に板状部材を収納した状態を示した図。
【図７】図１に示す作業用キットの作業用物品を作業用シートの収納位置に保持した状態を示した図。
【図８】図７に示す状態から、作業用シートで作業用物品を巻いた状態を示した図。
【図９】本考案の第２実施形態に係る作業用キットの模式的斜視図であり、作業用物品を作業用シートの作業位置に保持した状態を示した図。
【考案を実施するための形態】
【００２５】
以下に、本考案の２つの実施形態を、図１〜９を参照しながら説明する。
〔第１実施形態〕
１．作業用キット１Ａと作業用シート１０について
図１に示すように、本実施形態に係る作業用キット１Ａは、製品の検査、梱包、または加工等の作業を行うためのキットである。作業用キット１Ａは、緩衝性を有した作業用シート１０と、作業用シート１０とともに作業で使用する複数の作業用物品（たとえば、後述するペン保持体３１、収納ケース４１など）で構成されている。
【００２６】
作業用シート１０は、フェルト、布、または樹脂などからなる表面シート１１と、表面シート１１に積層されたゴム、発泡樹脂、または気泡緩衝材などからなるクッションシート１２とを有している。表面シート１１とクッションシート１２とは、たとえば接着剤、両面テープなどにより、貼着されている。作業用シート１０のうち、表面シート１１が配置された一方側の表面は、作業を行うための作業面１０ａが形成されている。
【００２７】
本実施形態では、作業用シート１０は、表面シート１１とクッションシート１２とを積層した２層構造であるが、作業時に製品を傷つけることがないように緩衝性を有し、後述する面ファスナーのループ係合片２１Ｂ，２２Ｂ，２３Ｂをその表面（作業面１０ａ）に取り付けることができる（図２参照）のであれば、クッションシートのみでもよく、３層以上のシートが積層されていてもよい。
【００２８】
２．作業用物品について
本実施形態では、作業用キット１Ａは、作業用物品として、作業用ペン３２と、作業用ペン３２を立てた状態で作業用ペン３２を保持する筒状のペン保持体３１とを備えている。また、作業用キット１Ａは、作業用物品として、収納ケース（収納部材）４１と、収納ケース４１の収納凹部４１ａに収納されるスライドケース４４と、スライドケース４４に収納されるラベルプレート（板状部材）４５とをさらに備えている。作業用キット１Ａは、その他にも、ウエス（布材）５２と、ウエス５２を収納する収納袋５１とを備えている。なお、本実施形態に係る作業用キット１Ａは、後述する図８に示すように、これらの作業用物品を作業用シート１０に巻いた状態で収納するものである。
【００２９】
ここで、本考案の作業用物品は、後述する相互に係合するフック係合部材とループ係合部材からなる面ファスナーのうち一方の係合部材（フック係合片２１Ａ，２２Ａ，２３Ａ）が設けられた（取り付けられた）作業用物品であることから、本実施形態では、ペン保持体３１と、収納ケース４１が、本考案の作業用物品に相当する。以下にペン保持体３１と収納ケース４１について詳述する。なお、本実施形態では、ウエス５２を収納する収納袋５１は、作業用シート１０の作業面１０ａに、たとえば両面テープなどの粘着テープで貼着されている。
【００３０】
２−１．ペン保持体３１について
ペン保持体３１は、図２および図３に示すように、相互に係合するフック係合片（フック係合部材）およびループ係合片（ループ係合部材）からなる面ファスナーのうち、フック係合片（フック係合部材）２１Ａ，２２Ａが取り付けられている。作業用シート１０の作業面１０ａには、フック係合片２１Ａ，２２Ａに係合するループ係合片（ループ係合部材）２１Ｂ，２２Ｂが取り付けられている。
【００３１】
より具体的には、ペン保持体３１の底面（後述する有底筒状体３１ｃの底面）には、これを作業用物品として作業に用いる作業位置で、ペン保持体３１が作業用シート１０に保持されるように、フック係合片２１Ａが取り付けられている。また、ペン保持体３１の側面には、これを作業用シート１０に巻いて収納するための収納位置で、ペン保持体３１が作業用シート１０に保持されるように、フック係合片２２Ａが取り付けられている。
【００３２】
筒状のペン保持体３１は、上部筒状体３１ａ、中央筒状体３１ｂ、および有底筒状体３１ｃの複数の筒状体で構成されている。上部筒状体３１ａ、中央筒状体３１ｂ、および、有底筒状体３１ｃは、ペン保持体３１の長手方向に沿って、フック係合片２２Ａでヒンジ連結されている。
【００３３】
一方、作業用シート１０の作業面１０ａには、ペン保持体３１により作業用ペン３２を立てた状態で保持することが可能な作業位置で、ペン保持体３１が作業用シート１０に保持されるように、フック係合片２１Ａに係合するループ係合片２１Ｂが取り付けられている。
【００３４】
後述するように、作業用シート１０の作業面１０ａには、ペン保持体３１に作業用ペン３２を収納した状態で、ペン保持体３１の側面が作業面１０ａに保持される収納位置で、ループ係合片２１Ｂと共にフック係合片２２Ａに係合するループ係合片２２Ｂが取り付けられている（図２および図７参照）。
【００３５】
このように構成することにより、図５（ａ）に示すように、作業時に、作業用ペン３２を用いて作業し、作業用ペン３２を仮置きするときには、作業用ペン３２をペン保持体３１で立てた状態で保持することができる。
【００３６】
ここで、作業用ペン３２を使用するに従ってその長さは短くなるが、その際には、たとえば、図５（ｂ）に示すように、ヒンジ連結された上部筒状体３１ａを、作業面１０ａに保持された中央筒状体３１ｂおよび有底筒状体３１ｃに対して枢動させることにより、作業用ペン３２の長さに合わせて、ペン保持体３１の長さを調整することができる。これにより、作業用ペン３２の長さが短くなっても、ペン保持体３１から作業用ペン３２を容易に取り出すことができる。
【００３７】
さらに、作業用ペン３２の長さが短くなった場合には、ヒンジ連結された中央筒状体３１ｂを上部筒状体３１ａとともに、作業面１０ａに保持された有底筒状体３１ｃに対して枢動させることにより作業用ペン３２の長さに合わせて、ペン保持体３１の長さを調整することができる。
【００３８】
本実施形態では、ペン保持体３１は、上部筒状体３１ａ、中央筒状体３１ｂ、および、有底筒状体３１ｃの３つの筒状体で構成されたが、作業用ペン３２の長さに合わせて、ペン保持体の長さを調整することができるのであれば、その個数は特に限定されるものではない。
【００３９】
また、上部筒状体３１ａ、中央筒状体３１ｂ、および、有底筒状体３１ｃの開口縁部のうち、相互に当接する開口縁部に、これらを直列に並べて隣接する筒状体同士が必要に応じてヒンジ連結により枢動可能なように、相互に係合するような係合凸部と係合凹部を設けてもよい。
【００４０】
２−２．収納ケース（収納部材）４１について
収納ケース（収納部材）４１は、図２および図４に示すように、相互に係合するフック係合片（フック係合部材）およびループ係合片（ループ係合部材）からなる面ファスナーのうち、フック係合片（フック係合部材）２３Ａが取り付けられている。作業用シート１０の作業面１０ａには、フック係合片２３Ａに係合するループ係合片（ループ係合部材）２３Ｂが取り付けられている。
【００４１】
より具体的には、収納ケース４１の底面には、これを作業用物品として作業に用いる作業位置で、収納ケース４１が作業用シート１０に保持されるように、フック係合片２３Ａが取り付けられている。ここで、ペン保持体３１とは異なり、収納ケース４１の作業位置と、収納ケース４１を作業用シート１０に巻いて収納するための収納位置は、同じであり、同じ姿勢で作業用シート１０に保持さればよいので、収納ケース４１にはフック係合片２３Ａのみが取り付けられている。
【００４２】
収納ケース４１の収納凹部４１ａには、スライドケース４４に収納された矩形状の複数のラベルプレート４５が厚さ方向に重ねた状態で収納される。ラベルプレート４５は、本考案でいう「板状部材」であるが、板状部材とは、本実施形態の如きプレート状の部材ばかりでなく、たとえばタグなどの可撓性を有したシート部材なども含むものである。
【００４３】
収納ケース４１の収納凹部４１ａは、収納凹部４１ａ内において、図６（ａ）に示す第１の位置と、図６（ｂ）に示す第２の位置との双方の位置に、ラベルプレート４５が収納されたスライドケース４４をスライドすることが可能な形状および大きさとなっている。
【００４４】
より具体的には、図６（ａ）に示すように、収納ケース４１は、第１の位置にラベルプレート４５を収納したスライドケース４４が配置された状態で、ラベルプレート４５を収納ケース４１の開口部から取り出し可能に構成されている。
【００４５】
一方、図６（ｂ）に示すように、収納ケース４１は、第２の位置にラベルプレート４５を収納したスライドケース４４が配置された状態で、ラベルプレート４５が収納ケース４１の開口部から脱落することを防止するように、板状部材に係止する２つの係止部材（係止部）４２，４２が取り付けられている。
【００４６】
一方、作業用シート１０の作業面１０ａには、収納ケース４１からラベルプレート４５を取り出し可能な作業位置で、収納ケース４１が作業用シート１０に保持されるように、フック係合片２３Ａに係合するループ係合片２３Ｂが取り付けられている（図２参照）。ここで、ペン保持体３１とは異なり、上述したごとく、収納ケース４１の作業位置と、収納ケース４１を作業用シート１０に巻いて収納するための収納位置は、同じであり、同じ姿勢で作業用シート１０に保持さればよい。したがって、収納ケース４１のフック係合片２３Ａに係合する、作業用シート１０に取り付けられるループ係合片は、ループ係合片２３Ｂのみである。なお、図２に示すように、上述したループ係合片２１Ｂ，２２Ｂ，２３Ｂは、作業面１０ａの一方側に寄せられて作業面１０ａに取り付けられている。
【００４７】
３．作業用キット１Ａの使用方法について
上述した作業用キット１Ａの使用方法について以下に説明する。
図１に示すように、作業を行う際には、作業用シート１０を広げ、ペン保持体３１を作業用シート１０に起立させる。具体的には、ペン保持体３１の底面に設けられたフック係合片２１Ａと、作業用シート１０の作業面１０ａに設けられたループ係合片２１Ｂとを係合させる。これにより、ペン保持体３１は、面ファスナーを介して作業用シート１０に起立した状態を保持することができる。この起立状態で、ペン保持体３１に作業用ペン３２を収納する。
【００４８】
同様に、収納ケース４１に設けられたフック係合片２３Ａと、作業用シート１０の作業面１０ａに設けられたループ係合片２３Ｂとを係合させる。これにより、収納ケース４１は、面ファスナーを介して作業用シート１０に保持することができる。
【００４９】
ここで、図６（ａ）に示すように、収納ケース４１の収納凹部４１ａ内で、スライドケース４４に収納されたラベルプレート４５を第１の位置に配置する（具体的には第２の位置から第１の位置にスライドさせる）。これにより、ラベルプレート４５を収納ケース４１の開口部から取り出し、ラベルプレート４５を製品への取り付ける作業等に用いることができる。
【００５０】
本実施形態では、ループ係合片２１Ｂ，２２Ｂ，２３Ｂは、作業面１０ａの一方側に寄せられて作業面１０ａに取り付けられているので、ペン保持体３１および収納ケース４１を作業面１０ａの一方側に寄せて保持することができるため、これらを利用した作業の効率を高めることができる。
【００５１】
作業終了時には、図７に示すように、作業用ペン３２が収納されたペン保持体３１を、起立した状態から作業用シート１０の作業面１０ａに倒す。具体的には、ペン保持体３１の側面に設けられたフック係合片２２Ａと、作業用シート１０の作業面１０ａに設けられたループ係合片２１Ｂ，２２Ｂとを係合させる。これにより、ペン保持体３１は、面ファスナーを介して倒れた状態で作業用シート１０に保持することができる。
【００５２】
一方、第１の位置から第２の位置にスライドケース４４と共にラベルプレート４５をスライドさせる（図６（ｂ）参照）。これにより、ラベルプレート４５は収納ケース４１の係止部材４２に係止される。
【００５３】
そして、図７に示す様態から、図８に示す状態となるように、これらの作業用物品を作業用シート１０に巻いて収納する。ここで、本実施形態では、ループ係合片２１Ｂ，２２Ｂ，２３Ｂを、作業面１０ａの一方側に寄せて取り付けることにより、ペン保持体３１および収納ケース４１を作業面１０ａの一方側に寄せた状態で、作業用シート１０の一方側から他方側に作業用シート１０で複数の作業用物品を簡単に巻き付けて、これを収納することができる。
【００５４】
また、ラベルプレート４５は収納ケース４１の係止部材４２に係止されいるで、ラベルプレート４５を収納ケース４１に収納した状態で、これを作業用シート１０で巻いて持ち運んだとしても、収納ケース４１の開口部からラベルプレート４５が脱落することを防止することができる。
【００５５】
また、本実施形態では、ループ係合片２１Ｂ，２２Ｂを作業面１０ａの一部に取り付けたので、ループ係合片２１Ｂ，２２Ｂを目印として、作業中には、ペン保持体３１を作業面上の決まった位置（作業位置）に保持することができ、作業終了後には、ペン保持体３１を作業面上の決まった位置（収納位置）に保持することができる。
【００５６】
〔第２実施形態〕
本実施形態が、第１実施形態と相違する点は、作業用シート１０の表面に、ループ係合シート２５Ｂを用いた点と、作業用物品にスプレー容器５３をさらに追加した点である。その他の構成は、第１実施形態と同じであるので、同じ符号を付してその詳細な説明を省略する。
【００５７】
本実施形態では、作業用キット１Ｂの作業用シート１０の作業面１０ａが、ループ係合シート（ループ係合部材）２５Ｂの表面となっている。したがって、本実施形態では、第１実施形態のように、作業面１０ａにループ係合片２１Ｂ，２２Ｂ，２３Ｂが取り付けられていない。
【００５８】
ループ係合シート２５Ｂは、第１実施形態に示したフック係合片２１Ａ，２２Ａ，２３Ａと係合し、面ファスナーを構成するものである。さらに、ループ係合シート２５Ｂは、スプレー容器５３の底面に取り付けられたフック係合片２６Ａ、および、その側面に取り付けられたフック係合片２７Ａとも係合する。
【００５９】
このように、作業面１０ａにループ係合シート２５Ｂを設けることにより、作業時に、ペン保持体３１、収納ケース４１、およびスプレー容器５３を、作業面１０ａの所望の位置に面ファスナーを介して保持することができる。
【００６０】
また、作業終了後には、作業用シート１０が巻きやすい位置に、ペン保持体３１、収納ケース４１、およびスプレー容器５３を面ファスナーを介して保持し、これらを作業用シート１０で巻いて、収納することができる。この際、スプレー容器５３を倒し、その側面に取り付けられたフック係合片２７Ａを、ループ係合シート２５Ｂに係合させれば、作業用シート１０が巻きやすくなる。
【００６１】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【００６２】
本実施形態では、作業用シートの作業面に、面ファスナーのうち、ループ係合片等のループ係合部材を設けることにより、作業面上に製品等を置いて作業する際に、これに傷が付くのを抑えることができるが、製品等が傷付くおそれがないのであれば、作業用シートの作業面に、フック係合部材を設け、作業用物品にループ係合片を取り付けてもよい。
【００６３】
また、本実施形態では、スライドケース内にラベルプレートを収納して、スライドケースをスライドさせたが、ラベルプレートを収納ケース内でスライドさせることができるのであれば、特にスライドケースが無くてもよい。
【符号の説明】
【００６４】
１Ａ，１Ｂ  作業用キット
１０  作業用シート
１０ａ  作業面
１１  表面シート
１２  クッションシート
２１Ａ，２２Ａ，２３Ａ  フック係合片（フック係合部材）
２１Ｂ，２２Ｂ，２３Ｂ  ループ係合片（ループ係合部材）
２５Ｂ  ループ係合シート（ループ係合部材）
２６Ａ，２７Ａ  フック係合片（フック係合部材）
３１  ペン保持体（作業用物品）
３１ａ  上部筒状体
３１ｂ  中央筒状体
３１ｃ  有底筒状体
３２  作業用ペン
４１  収納ケース（収納部材（作業用物品））
４１ａ  収納凹部
４２  係止部材（係止部）
４４  スライドケース
４５  ラベルプレート（板状部材）
５１  ウエス（布材）
５２  収納袋
５３  スプレー容器
【図１】
0003194815.tif 000003
【図２】
0003194815.tif 000004
【図３】
0003194815.tif 000005
【図４】
0003194815.tif 000006
【図５】
0003194815.tif 000007
【図６】
0003194815.tif 000008
【図７】
0003194815.tif 000009
【図８】
0003194815.tif 000010
【図９】
0003194815.tif 000011